(57)【特許請求の範囲】
【請求項１】
一端側へ開口する収納室と、
前記収納室に着脱可能に収納され前記収納室に装着された状態で外部に開放された側部に把手を有する金庫と、
前記金庫が前記収納室から抜脱されるときに前記収納室の一部と前記金庫の一部とを係合して前記金庫が所定距離を超えて抜脱されることを規制する規制部と、
解除操作を受け付けて前記規制部による規制を解除する解除部とを具備し、
前記規制部は、抜脱方向へ向けて前記金庫又は前記収納室の内壁から突出する係合部を有し、前記係合部は、前記金庫が所定距離抜脱されたときに前記収納室の内壁又は前記金庫に凹設した被係合部と係合するように、当該被係合部との位置関係が設定されていることを特徴とする現金処理装置。
【請求項２】
前記解除部は、前記規制部により前記金庫の抜脱が規制されたときに前記収納室から表出する部位のうち前記金庫の底面又は側面の下端部近傍に配置されている請求項１に記載の現金処理装置。
【請求項３】
前記解除部は、前記金庫の側方から視認可能な位置に配置されている請求項１又は２に記載の現金処理装置。
【請求項４】
前記係合部は、外力を受けて没入するように構成されている請求項１〜３のいずれかに記載の現金処理装置。
【請求項５】
前記把手は、折り畳み構造である請求項１〜４のいずれかに記載の現金処理装置。
【発明の詳細な説明】
【技術分野】
【０００１】
本発明は、金庫が収納室に対して着脱可能な現金処理装置に係り、特に金庫を適切に着脱可能とした現金処理装置に関する。
【背景技術】
【０００２】
自動発券機や自動販売機等の現金処理装置は、現金を収納する金庫を有し、金庫に対して現金を入金又は出金するものである。このような従来の現金処理装置として特許文献１には、金庫を着脱可能に収納する収納室を複数設け、これらの収納室の一端側に開口させて金庫を一端側から着脱可能に構成したものが開示されている。
【先行技術文献】
【特許文献】
【０００３】
【特許文献１】特開２００６−１８７９８号公報
【発明の概要】
【発明が解決しようとする課題】
【０００４】
上記の現金処理装置のように収納室から一端側へ金庫を抜脱する場合は、金庫が収納室から完全に抜けた途端に落下しようとするうえ、金庫が完全に抜けるタイミングが外観から分かりにくいので、金庫が不意に抜けて金庫を落下させてしまう等、金庫を適切に着脱することが難しいものである。
【０００５】
本発明は、このような課題に着目してなされたものであって、その目的は、金庫の着脱の作業性を損なうことなく、金庫が不意に抜けることを防止して、金庫を適切に着脱することを可能とした現金処理装置を提供することである。
【課題を解決するための手段】
【０００６】
本発明は、かかる目的を達成するために、次のような手段を講じたものである。
【０００７】
すなわち、本発明に係る現金処理装置は、一端側へ開口する収納室と、前記収納室に着脱可能に収納され前記収納室に装着された状態で外部に開放された側部に把手を有する金庫と、前記金庫が前記収納室から抜脱されるときに前記収納室の一部と前記金庫の一部とを係合して前記金庫が所定距離を超えて抜脱されることを規制する規制部と、解除操作を受け付けて前記規制部による規制を解除する解除部とを具備し、前記規制部は、抜脱方向へ向けて前記金庫又は前記収納室の内壁から突出する係合部を有し、前記係合部は、前記金庫が所定距離抜脱されたときに前記収納室の内壁又は前記金庫に凹設した被係合部と係合するように、当該被係合部との位置関係が設定されていることを特徴とする。
【０００８】
この構成によれば、収納室から金庫を抜脱するときに金庫が所定距離を超えて抜脱されることが規制部により規制され、解除操作を行わなければ規制部による規制が解除されないので、金庫が不意に抜けることを防止して金庫を適切に抜脱することができる。
【０００９】
また、前記規制部は、抜脱方向へ向けて前記金庫から突出する係合部を有し、前記係合部は、前記金庫が所定距離抜脱されたときに前記収納室の内壁に凹設した被係合部と係合するように、当該被係合部との位置関係が設定されていることから、金庫を抜脱する動作を利用して規制部を実現できる。さらに係合部が抜脱方向へ向けて金庫から突出しているので、金庫を抜脱しようとすると被係合部と係合部との係合が強まり、金庫が所定距離を超えて抜脱されることを的確に規制することができる。さらにまた係合部が抜脱方向に向けて突出する形状であるので、金庫が抜脱方向へ移動する際には収納室の内壁たる底壁と係合しやすい一方、金庫が挿入方向へ移動する際には収納室の内壁たる底壁と係合しにくいので、円滑に金庫を装着することができる。
【００１０】
金庫の底面及び把手の二箇所を両手で的確に把持させるためには、前記解除部は、前記規制部により前記金庫の抜脱が規制されたときに前記収納室から表出する部位のうち前記金庫の底面又は側面の下端部近傍に配置されていることが好ましい。
【００１１】
解除操作を行い易くして金庫の抜脱作業の効率を向上させるためには、前記解除部は、前記金庫の側方から視認可能な位置に配置されていることが効果的である。
【００１２】
上記のように係合部を金庫から突出するようにしても金庫の載置時や収納室への挿入時に円滑な作業性を得るためには、前記係合部は、外力を受けて没入するように構成されていることが好ましい。
【００１３】
本発明の好適な適用対象としては、前記把手が折り畳み構造であるものが挙げられる。
【発明の効果】
【００１４】
本発明は、以上説明した構成であるから、金庫が所定距離を超えて抜脱されることが規制され、この規制は平易な解除操作で解除されるので、金庫の着脱の作業性を損なうことなく、金庫が不意に抜けることを防止して、金庫を適切に着脱することが可能となる。
【図面の簡単な説明】
【００１５】
【図１】本発明の一実施形態に係る現金処理装置を示す概略全体構成図。
【図２】一部の金庫を抜き取った状態を示す図１に対応した図。
【図３】同実施形態における搬送手段および制御手段の構成および機能の概略を示すブロック図。
【図４】同実施形態における現金処理装置の収納室を開口側から視た斜視図。
【図５】図４とは異なる視点から視た図４に対応する斜視図。
【図６】同実施形態における金庫を示す側面図。
【図７】同金庫に設けられた規制部および解除部の構成と動作とを示す概略斜視図。
【図８】収納室から金庫を抜脱する際の動作を示す模式的断面図。
【発明を実施するための形態】
【００１６】
以下、本発明の一実施形態に係る現金処理装置を、図面を参照して説明する。本実施形態では紙幣を取り扱う紙幣ブロックとしての現金処理装置を例に挙げて説明する。
【００１７】
図１に示す本実施形態の現金処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送手段２とを備えている。
【００１８】
紙幣ブロック１は、この現金処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、係員が操作を行う側に３つのカセット式の金庫Ａ〜Ｃを設けている。また、紙幣ブロック１には、金庫Ａ〜Ｃに対応して設けられこれら金庫Ａ〜Ｃへ識別部２２により真性であると識別された紙幣を収納する前に一次的に保留する一次保留部ａ１〜ｃ１、搬送経路２１上の紙幣（不良券を含む）を一時的に保留する一時保留部Ｅや出金保留部Ｆが設けられている。一時保留部Ｅとは別に、読み取り不能、金種相違、重送発生、異常検知時の不良券を回収する不良券回収部Ｇが設けられている。不良券回収部Ｇは、図１に示すように、係員が操作を行う側に扉部ｇ１が設けられており、係員がこの扉部ｇ１を通じて不良券回収部Ｇに貯留された不良券を回収することが可能にされている。
【００１９】
カセット式の金庫Ａ〜Ｃは、図２に例示するように把手ｈを把持して紙幣ブロック１から引き出すことが可能にされている。これら金庫Ａ〜Ｃと紙幣ブロック１との間には、必要に応じて電磁力等を利用して金庫Ａ〜Ｃを引き出し禁止状態にする図示しないロック機構が設けてあり、また、紙幣ブロック１又は金庫Ａ〜Ｃには、引き出し禁止状態か否かを表示して係員に了知させる図示しないＬＥＤ表示部が設けてある。
【００２０】
この実施形態では、図３に示すように、固定式の金庫Ｄを二千円札と五千円札を格納する混合金庫とし、金庫Ａに千円札、金庫Ｂに一万円札を格納する循環金庫とし、金庫Ｃを多用途に利用可能な自在金庫に設定して、現金の補給及び回収を目的として現金処理装置を停止させることなく運用する、いわゆる無停止補給、無停止回収を実現した金庫設定にしている。
【００２１】
図３に示すように、現金処理装置は、搬送手段２とこれを制御する制御手段３とを含んで構成されている。搬送手段２は、周知の現金処理装置と同様に、図示しない挾持ローラ、搬送ベルト、ウィング等の方向変換部などから構成される搬送経路２１と、搬送される現金たる紙幣の金種および真性（偽造か否か）を識別する識別部２２と、紙幣の金種識別のみを行い紙幣の真性までは識別しない簡易型の識別部２０とを有している。
【００２２】
制御手段３は、識別部２２或いは簡易型の識別部２０の識別結果等に基づいて搬送手段２を制御するものであり、挿入口１１から投入された紙幣を識別部２２に通過させた後、搬送経路２１に沿って流通させ、随所に設けた分岐部２６ａ〜２６ｇで必要に応じて紙幣を方向変換して、金庫Ａ、金庫Ｂ、金庫Ｃ、固定金庫Ｄ、一時保留部Ｅ、出金保留部Ｆ、払出口１２、不良券回収部Ｇ等へ搬送する動作を行うとともに、金庫Ａ〜Ｄ等から搬送経路２１上への紙幣の繰り出し動作、簡易型の識別部２０における金種識別、更には次なる搬送先である出金口１３や金庫Ａ〜Ｄへの搬送動作などを含む統括的な搬送制御を行うように構成されている。
【００２３】
上記で述べた搬送制御などを行う具体的な制御手段３は、図３に示すように、入出金制御部３１と、搬送制御部３２とを含んで構成されている。
【００２４】
入出金制御部３１は、利用者が操作する図示しない操作部、搬送手段２や各種センサからの信号に基づいて入出金に関する総括的な制御を行うものであり、取引に応じた紙幣の搬送指令を搬送制御部３２に対して行う。
【００２５】
搬送制御部３２は、入出金制御部３１からの紙幣の搬送指令に基づいて搬送手段２を駆動制御し、紙幣の搬送を行う。
【００２６】
このような制御手段３を実現する具体的な構成は、ＣＰＵ、メモリ及びインターフェイスを有する通常のマイクロコンピュータユニットにより構成され、メモリには図示しない搬送制御処理ルーチンや入出金制御処理ルーチン等が格納してあり、ＣＰＵが適宜必要なプログラムを呼び出して実行することにより、上記の入出金制御部３１および搬送制御部３２が実現される。これらの詳細な制御、例えば制御手段３は、紙幣を各金庫Ａ〜Ｃに収納する前に一時的に一旦これらの一次保留部ａ１、ｂ１、ｃ１に保留し、その後、搬送経路２１上に一旦繰り出した後に金庫Ａ〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００２７】
紙幣ブロック１には、図４に示すように、側方であり係員が操作を行う側へ開口する収納室５が３つ形成されている。具体的には、カセット式の金庫Ａを収納する収納室５ａ（５）、金庫Ｂを収納する収納室５ｂ（５）、金庫Ｃを収納する収納室５ｃ（５）の３つの収納室５が形成されている。なお、図４は、金庫Ａが収納室５ａに収納され、金庫Ｂ及び金庫Ｃは抜脱された状態を示す。金庫Ａのうち収納室５ａに装着された状態で外部に開放される側部ｏｐ、すなわち係員が操作を行う側の側部ｏｐには、金庫Ａを着脱する際に係員に把持される把手ｈが設けられている。この把手ｈは、図４及び図５に示すように鉛直方向の軸を中心に矢印方向に回動する折り畳み構造をなしており、現金処理装置の外寸法が仕様である外寸法制限を超えないように設けている。
【００２８】
収納室５には、図４及び図５に示すように、板状の仕切部８が設けられている。仕切部８が鉛直方向の軸を中心に回転可能となるように、仕切部８の基端が図示しないヒンジ部を介して収納室５の側壁５２に支持されて、開閉する扉を成している。仕切部８は、ヒンジ部に設けられた図示しないねじりコイルバネにより開口端側へ付勢されている。この仕切部８は、金庫Ａ〜Ｃの着脱動作に伴って開閉するものである。
【００２９】
金庫Ａの底面Ａｂには、図６に示すように、底面Ａｂに設けられた図示しない開口から抜脱方向に向かって突出する係合部６１が設けられている。金庫Ａが収納室５ａに着脱される際には、金庫Ａの底面Ａｂの下方に収納室５ａの底壁５１が位置して底面Ａｂと底壁５１とが対向しており、この底壁５１には、図４及び図５に示すように、係合部６１と係合する被係合部６２が上方を向いて開口して形成されている。この係合部６１は、図８（ｂ）に示すように、被係合部６２と係合することによって金庫Ａが所定距離Ｗ１を超えて抜脱されることを規制する規制部６を構成する。この規制部６は、金庫Ａ〜Ｃを引き出し禁止状態にする図示しないロック機構とは異なり、金庫Ａが抜脱され始めてから完全に抜け切るまでの間に一時的に金庫Ａの抜脱を規制するものである。
【００３０】
図６に戻って、係合部６１の挿入方向側の部位には、金庫Ａが挿入方向に挿入された際に収納室５ａの底壁５１等と当接して、係合部６１を金庫内部に没入させるように案内するガイド部６１ｇが形成されている。ガイド部６１ｇは挿入方向に対して傾斜する面である。
【００３１】
さらに、金庫Ａの底面Ａｂ又は側面Ａｓの下端部近傍には、押圧可能な解除レバー７１が金庫Ａの側方から視認可能な位置に設けられており、この解除レバー７１を押圧すると金庫底面Ａｂから突出する係合部６１が金庫内部に没入する。すなわち、この解除レバー７１は、規制部６による規制を解除する解除部７を構成する。
【００３２】
これら係合部６１と解除レバー７１との関連付けについて図７を用いて説明する。係合部６１は、図７（ａ）に示すように、金庫内部においてその一端である突出端６１ａが下方且つ抜脱方向へ向かって屈曲する鉤状を成しており、中部６１ｃが略水平方向の軸を中心に回動可能に支持されている。突出端６１ａは、図示しないねじりコイルバネにより矢印方向、すなわち収納室５ａの底壁５１側へ付勢され、金庫Ａの底面Ａｂに形成された図示しない開口から突出端６１ａが突出している。
【００３３】
解除レバー７１は、略Ｌ字形状をなし、中部７１ｃが略鉛直方向の軸を中心に回動可能に支持されている。図７（ｂ）に示すように、その一端である押圧端７１ａが押圧されて解除操作Ｓ１が入力されると、この解除操作Ｓ１によって解除レバー７１が矢印方向に回動し、回動方向側の他端に取り付けられた筒状の接触端７１ｂが上記の係合部６１の他端である自由端６１ｂと接触して、この自由端６１ｂを下方に変位させ、この変位により突出端６１ａが上方へ変位し、金庫底面Ａｂから突出する係合部６１が金庫内部に向かって没入しようとする。一方、解除レバー７１の押圧端７１ａを押圧する解除操作Ｓ１を止めると、引っ張りバネ７２が接触端７１ｂを解除操作Ｓ１の逆方向へ付勢しているので、解除レバー７１が逆方向へ変位し、係合部６１の自由端６１ｂと解除レバー７１の接触端７１ｂとの係合が解除され、再び係合部６１の突出端６１ａが収納室５ａの底壁５１側へ付勢される。
【００３４】
一方、図７（ｃ）に示すように、金庫Ａが床等に載置されたり、収納室５ａに挿入されたりする等、ねじりコイルバネによる付勢に抗して係合部６１の突出端６１ａに外力Ｓ２が加わると、自由端６１ｂと接触端７１ｂとが非接触状態であるので突出端６１ａが上方へ変位して、金庫底面Ａｂから突出する係合部６１が金庫内部に向かって没入する。
【００３５】
このような構成の金庫Ａを収納室５ａから抜脱する動作を図８に示して説明する。図８（ａ）に示すように、金庫Ａが収納室５ａに装着されている場合では、係合部６１の突出端６１ａが収納室５ａの底壁５１に向けて付勢されこの底壁５１と当接した状態に維持されている。図８（ｂ）に示すように、被係合部６２と係合部６１とは金庫Ａを所定距離Ｗ１抜脱したときに対向する位置関係に設定してある。
【００３６】
まず、図８（ｂ）に示すように、例えば右手ｈａで把手ｈを把持して金庫Ａを所定距離Ｗ１抜脱すると、被係合部６２と係合部６１が対向し、係合部６１は底壁５１に向けて付勢されているので、係合部６１が開口である被係合部６２に没入し、係合部６１と被係合部６２とが係合する。この状態でさらに金庫Ａを抜脱しようとすると、係合部６１は抜脱方向に向かって突出しているので、係合部６１と被係合部６２との係合が強まり、金庫Ａが所定距離Ｗ１を超えて抜脱されることが規制される。このとき、解除レバー７１の押圧端７１ａは、図８（ｂ）に示すように、金庫Ａの抜脱が規制されたときに収納室５ａから表出する部位のうち金庫Ａの底面Ａｂ又は側面Ａｓの下端部近傍に配置されているので、図８（ｃ）に示すように、左手ｈａの親指等で解除レバー７１を押圧して解除操作Ｓ１を行いつつ、左手ｈａの手のひらで金庫Ａの底面Ａｂを把持しやすくしている。
【００３７】
同様に金庫Ａを収納室５ａへ装着する動作も図８（ｃ）、図８（ｂ）、図８（ａ）の順に行うものであり、この過程では、係合部６１が収納室５ａの底壁５１に当接したり、被係合部６２に没入したりするが、係合部６１の挿入方向側に形成したガイド部６１ｇにより金庫Ａの挿入動作に伴って係合部６１が金庫内部に没入するので、係合部６１を金庫内部に没入させるために解除レバー７１を操作する必要はなく、円滑に金庫Ａを収納室５ａに挿入できる。
【００３８】
なお、他のカセット式の金庫Ｂ及びＣ並びにこれらを収納する収納室５ｂ、５ｃも金庫Ａ及び収納室５ａと同様に規制部６及び解除部７並びに被係合部６２が設けられている。
【００３９】
以上のように、本実施形態に係る現金処理装置は、一端側へ開口する収納室５と、収納室５に着脱可能に収納され収納室５に装着された状態で外部に開放された側部ｏｐに把手ｈを有する金庫Ａ〜Ｃと、金庫Ａ〜Ｃが収納室５から抜脱されるときに収納室５の一部と金庫の一部とを係合して金庫Ａが所定距離Ｗ１を超えて抜脱されることを規制する規制部６と、解除操作Ｓ１を受け付けて規制部６による規制を解除する解除部７とを具備してなることを特徴とする。
【００４０】
この本実施形態によれば、収納室５から金庫Ａ〜Ｃを抜脱するときに金庫Ａが所定距離Ｗ１を超えて抜脱されることが規制部６により規制され、解除操作Ｓ１を行わなければ規制部６による規制が解除されないので、金庫Ａ〜Ｃが不意に抜けることを防止して金庫Ａ〜Ｃを適切に抜脱することができる。
【００４１】
特に、本実施形態では、解除部７は、金庫Ａ〜Ｃの抜脱が規制されたときに収納室５から表出する部位のうち金庫Ａ〜Ｃの底面Ａｂ又は側面Ａｓの下端部近傍に配置されているので、係員は、一方の手で把手ｈを把持して金庫Ａ〜Ｃを引き抜いた後で、他方の手で解除操作Ｓ１を行うと自然に金庫Ａ〜Ｃの底面Ａｂを手のひらに載せて把持することになり、金庫Ａ〜Ｃの底面Ａｂ及び把手ｈの二箇所を両手で的確に保持することが可能となる。
【００４２】
また、本実施形態では、解除部７が金庫Ａ〜Ｃの側方から視認可能な位置に配置されているので、解除操作Ｓ１を行い易く、金庫Ａ〜Ｃの抜脱作業の効率を向上させることができる。
【００４３】
さらに、本実施形態では、規制部６は、抜脱方向へ向けて金庫Ａ〜Ｃから突出する係合部６１を有し、係合部６１は、金庫Ａ〜Ｃが所定距離Ｗ１抜脱されたときに収納室５の内壁たる底壁５１に凹設した被係合部６２と係合するように、被係合部６２との位置関係が設定されているので、金庫Ａ〜Ｃを抜脱する動作を利用して規制部６を実現できる。さらに係合部６１が抜脱方向へ向けて金庫Ａ〜Ｃから突出しているので、金庫Ａ〜Ｃを抜脱しようとすると被係合部６２と係合部６１との係合が強まり、金庫Ａが所定距離Ｗ１を超えて抜脱されることを的確に規制することができる。さらにまた係合部６１が抜脱方向に向けて突出する形状であるので、金庫Ａ〜Ｃが抜脱方向へ移動する際には収納室５の内壁たる底壁５１と係合しやすい一方、金庫Ａ〜Ｃが挿入方向へ移動する際には収納室５の内壁たる底壁５１と係合しにくいので、円滑に金庫Ａ〜Ｃを装着することができる。
【００４４】
加えて、本実施形態では、係合部６１は、外力を受けて金庫Ａ〜Ｃの内部に没入するように構成されているので、係合部６１が金庫Ａ〜Ｃから突出するものであっても、金庫Ａ〜Ｃの載置時や収納室５への挿入時に円滑な作業性を得ることができる。
【００４５】
その他、本実施形態のように、がたついて動き易く金庫Ａ〜Ｃの把持が不安定となる折り畳み構造の把手ｈであっても、金庫Ａ〜Ｃの二点を両手で把持させることになるので、金庫Ａ〜Ｃを安定して抜脱させることが可能となる。
【００４６】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４７】
例えば、本実施形態では、規制部６が金庫Ａ〜Ｃに設けられ、規制部６と収納室５とを係合して抜脱を規制するように構成しているが、規制部を収納室５に設け、規制部と金庫とを係合して抜脱を規制するように構成してもよい。
【００４８】
また、本実施形態では、規制部６を構成する係合部６１は金庫Ａ〜Ｃの底面Ａｂに設けられ収納室５の底面Ａｂと係合しているが、係合部を金庫の側面に設けて収納室の内壁たる側壁と係合するように構成してもよい。
【００４９】
さらに、本実施形態では、金庫Ａ〜Ｃに対して入金および出金の双方を行う現金処理装置であるが、金庫への入金および金庫からの出金のいずれかのみを行う装置であっても本発明を適用することが可能である。
【００５０】
さらにまた、金庫Ａ〜Ｄに格納する金種は本実施形態に限定されるものではなく、金庫Ａ〜Ｄはどの金種を格納することも可能であり、例えば金庫Ａ〜Ｄに対して各金種を割り当てて金庫Ａ〜Ｄを四金種循環金庫としてもよい。このような様々な金庫の設定に対しても本発明を適用することが可能である。
【００５１】
加えて、本実施形態では、紙幣と硬貨とを含む現金のうち、紙幣を取り扱う紙幣ブロックとしての現金処理装置を例に挙げて説明したが、硬貨を取り扱う硬貨ブロックに対しても本発明を適用することが可能である。
【００５２】
その他、各部の具体的な構成は、上述した実施形態のみに限定されるものではなく、本発明の趣旨を逸脱しない範囲で種々変形が可能である。
【符号の説明】
【００５３】
１………紙幣ブロック
Ａ〜Ｃ…金庫
５………収納室
５ａ、５ｂ、５ｃ…収納室
５１……底壁
６………規制部
６１……係合部
６２……被係合部
７………解除部
ｈ………把手
Ｓ１……解除操作
Ａｂ……金庫の底面
Ａｓ……金庫の側面
ｏｐ……金庫のうち収納室に装着された状態で外部に開放される側部
【図１】
0005521443.tif 000002
【図２】
0005521443.tif 000003
【図３】
0005521443.tif 000004
【図４】
0005521443.tif 000005
【図５】
0005521443.tif 000006
【図６】
0005521443.tif 000007
【図７】
0005521443.tif 000008
【図８】
0005521443.tif 000009